(57)【要約】      （修正有）【課題】再帰性反射フィルムの光反射特性をより発揮させ得るワッペンを提供する。【解決手段】ワッペン１０は、表面１２ａ及び裏面を有する再帰性反射フィルム１２と、再帰性反射フィルム１２の表面上に引き剥がし可能の付着状態で重ね合わされたカバーフィルム１４、あるいは再帰性反射フィルム１２の表面上に接着された状態で重ね合わされた透明なカバーフィルム１４と、再帰性反射フィルム１２の裏面上に接着された状態で重ね合わされたホットメルトフィルム１６又は両面テープとを備える。互いに重ね合わされたカバーフィルムと、再帰性反射フィルムと、ホットメルトフィルム又は両面テープとは、物Ｍの輪郭１９を模る平面形状を有し、さらに、物の一部を模る１又は複数の貫通孔２０、線状の切込みを有する。【選択図】図１
0003231640.tif 000002
【実用新案登録請求の範囲】
【請求項１】
表面及び裏面を有する再帰性反射フィルムと、
前記再帰性反射フィルムの表面上に引き剥がし可能の付着状態で重ね合わされたカバーフィルムと、
前記再帰性反射フィルムの裏面上に接着された状態で重ね合わされたホットメルトフィルム又は両面テープとを備え、
互いに重ね合わされた前記カバーフィルムと、前記再帰性反射フィルムと、前記ホットメルトフィルム又は両面テープとは、物の輪郭を模る平面形状を有する、ワッペン。
【請求項２】
表面及び裏面を有する再帰性反射フィルムと、
前記再帰性反射フィルムの表面上に接着された状態で重ね合わされた透明なカバーフィルムと、
前記再帰性反射フィルムの裏面上に接着された状態で重ね合わされたホットメルトフィルム又は両面テープとを備え、
互いに重ね合わされた前記カバーフィルムと、前記再帰性反射フィルムと、前記ホットメルトフィルム又は両面テープとは、物の輪郭を模る平面形状を有する、ワッペン。
【請求項３】
互いに重ね合わされた前記カバーフィルム及び前記再帰性反射フィルムは、さらに、前記物の一部を模る１又は複数の貫通孔を有する、請求項１又は２に記載のワッペン。
【請求項４】
さらに、前記カバーフィルムの厚さの全部を経て前記再帰性反射フィルムの厚さの一部に至る、前記物の一部を模る１又は複数の線状の切れ込みを有する、請求項１〜３のいずれか１項に記載のワッペン。
【請求項５】
さらに、前記ホットメルトフィルム又は両面テープに重ね合わされた剥離紙を備える、請求項１〜４のいずれか１項に記載のワッペン。
【請求項６】
前記再帰性反射フィルムは、ガラスビーズ型の反射材を有する、請求項１〜５のいずれか１項に記載のワッペン。
【請求項７】
前記カバーフィルムはポリエステル樹脂からなる、請求項１〜６のいずれか１項に記載のワッペン。
【請求項８】
前記ホットメルトフィルムはウレタン系合成樹脂からなる、請求項１〜７のいずれか１項に記載のワッペン。
【考案の詳細な説明】
【技術分野】
【０００１】
本考案はワッペンに関する。
【背景技術】
【０００２】
従来、交通安全上の観点から、視界が低下する特に夜間における人に対する視認性の向上に資するワッペンとして、光反射機能を有するものが提案されている。このワッペンは、再帰性反射フィルムと、該再帰性反射フィルムの表裏両面をそれぞれ被覆する透明フィルムとからなり、前記再帰性反射フィルムの表面に文字、図形等が印刷されている。このワッペンによれば、再帰性反射フィルムの優れた光反射特性により、前記ワッペンが付された衣服を身に着けた者の存在の確認が比較的容易である。
【０００３】
ところで、このワッペンにあっては、前記再帰性反射フィルムの表面に印刷された印刷文字、図形等がワッペンに装飾、情報伝達等の効果を付与する働きをなす。しかし、その反面、前記印刷された文字、図形等は前記再帰性反射フィルムの表面の一部を覆っているため、前記再帰性反射フィルムの光反射特性の発揮の妨げとなる。
【先行技術文献】
【特許文献】
【０００４】
【特許文献１】実用新案登録第３０６８２２７号公報
【考案の概要】
【考案が解決しようとする課題】
【０００５】
本考案は、前記従来の実情に鑑み、再帰性反射フィルムの光反射特性をより発揮させ得るワッペンを提供する。
【課題を解決するための手段】
【０００６】
本考案に係るワッペンは、その一の実施の形態として、表面及び裏面を有する再帰性反射フィルムと、前記再帰性反射フィルムの表面上に引き剥がし可能の付着状態で重ね合わされたカバーフィルムと、前記再帰性反射フィルムの裏面上に接着された状態で重ね合わされホットメルトフィルム又は両面テープとを備える。互いに重ね合わされた前記カバーフィルムと、前記再帰性反射フィルムと、前記ホットメルトフィルム又は両面テープとは、物の輪郭を模る平面形状を有する。本考案において、「物」とは、現実の世界に存する物及び想像上の物の双方を含む概念である。
【０００７】
前記ワッペンは、互いに重ね合わされたカバーフィルムと、前記再帰性反射フィルムと、前記ホットメルトフィルム又は両面テープとに設けられた、前記物の一部を模る１又は複数の貫通孔を有するものとし、あるいは、前記互いに重ね合わされたカバーフィルムと前記再帰性反射フィルムとに設けられた、前記カバーフィルムの厚さの全部を経て前記再帰性反射フィルムの厚さの一部に至る、前記物の一部を模る１又は複数の線状の切れ込みを有するものとし、あるいはまた、前記貫通孔及び前記線状の切込みの双方を有するものとすることができる。
【０００８】
本考案に係るワッペンは、その取付対象である例えば衣服の表面上の任意の箇所に、前記カバーフィルムを上に、また前記ホットメルトフィルムを下にして置き、前記カバーフィルム上に例えばアイロンを使って熱圧を加えることにより取り付けることができる。前記ワッペンは前記熱圧を加えられた前記ホットメルトフィルムの熱溶融により生じた粘着力により前記衣服の表面上に接着される。また、前記両面テープを有するワッペンにあっては、前記取付対象の表面上の任意の箇所に、前記カバーフィルムを上に、また前記両面テープを下にして置き、前記カバーフィルム上に押圧力を加えることにより取り付けることができる。前記ワッペンは前記両面テープが有する粘着力により前記取付対象の表面上に接着される。接着後、前記カバーフィルムは前記再帰性反射フィルムから引き剥がすことにより除去し、前記再帰性反射フィルムの表面を露出させることができる。露出された前記再帰性反射フィルムは光反射特性を発揮する。
【０００９】
本考案は、前記カバーフィルムについて、該カバーフィルムが前記再帰性反射フィルムの表面上に引き剥がし可能の付着状態で重ね合わされたものすることに代えて、前記カバーフィルムが透明なものからなりかつ前記再帰性反射フィルムの表面上に接着された状態で重ね合わされたものとする他の実施の形態を有する。これによれば、前記ワッペンは前記カバーフィルムを除去しない態様での使用が可能であり、光は前記カバーフィルムを通して前記再帰性反射フィルムの表面に入射し、前記再帰性反射フィルムは前記カバーフィルムを通して光反射特性を発揮する。また、前記カバーフィルムは常に前記再帰性反射フィルムの表面を保護する働きをなす。
【００１０】
本考案によれば、前記再帰性反射フィルム、あるいは、前記再帰性反射フィルム及び前記透明なカバーフィルムの双方が前記物の輪郭を模る平面形状を有するものであることから、前記再帰性反射フィルムの表面の全てにおいて光反射特性を発揮する。このことから、前記ワッペンが光に照らされるとき、前記物の輪郭を模る平面形状が明瞭に視認され、前記物の輪郭を模る平面形状がワッペンの装飾効果、情報伝達効果等を認識させる働きをなす。また、前記物の一部を模る貫通孔及び前記線状の切れ込みは、前記再帰性反射フィルム、あるいは、前記再帰性反射フィルム及び前記透明なカバーフィルムの双方が表す前記物を模る平面形状をより浮き立たせ、明瞭にする働きをなす。
【００１１】
さらに、前記ワッペンは、前記ホットメルトフィルムに重ね合わされた剥離紙を備えるもの又は前記両面テープに重ね合わされた剥離紙を備えるものとすることができる。前記剥離紙は、取付対象への前記ワッペンの取り付けまでの間、前記ホットメルトフィルム及び両面テープをそれぞれ保護し、前記ワッペンの取り付けに先立ち、前記ホットメルトフィルムから引き剥がされ、また、前記両面テープから引き剥がされる。
【００１２】
前記再帰性反射フィルムは、その一例として、ガラスビーズ型の反射材を有するものからなる。また、前記カバーフィルムはその一例として透明性を有するポリエステル樹脂からなり、前記ホットメルトフィルムはその一例としてウレタン系合成樹脂からなる。
【図面の簡単な説明】
【００１３】
【図１】ワッペンの一例を示す底面図であって再帰性反射フィルム及びホットメルトフィルムの一部をめくって示す底面図である。
【図２】ワッペンの他の例を示す平面図である。
【図３】ワッペンの概略的な部分断面図である。
【考案を実施するための形態】
【００１４】
図１及び図２を参照すると、本考案の一の実施の形態に係るワッペンの一例及び他の例がそれぞれ全体に符号１０で示されている。ワッペン１０は、衣服や、帽子、児童が背負うランドセル、カバン、表示板等からなる種々の取付対象に取り付けることができる。
【００１５】
図３に示すように、ワッペン１０は、表面１２ａ及び裏面１２ｂを有する再帰性反射フィルム１２と、再帰性反射フィルム１２の表面１２ｂ上に重ね合わされたカバーフィルム１４と、再帰性反射フィルム１２の裏面１２ｂ上に重ね合わされたホットメルトフィルム１６とを備える。
【００１６】
再帰性反射フィルム１２は、これに当たった光、より詳細には表面１２ａに入射した光をその光源に向けて反射する性質を有する。再帰性反射フィルム１２にはガラスビーズ型の反射材を有するものと、プリズム型の反射材を有するものとがあり、いずれも市販されている。
【００１７】
カバーフィルム１４は再帰性反射フィルム１２の表面１２ａに引き剥がし可能の付着状態で重ね合わされている。カバーフィルム１４は任意の合成樹脂材料からなる。図示のカバーフィルム１４は透明性を有するポリエステル樹脂からなる。ワッペン１０は、前記取付対象への取り付け後、カバーフィルム１４を引き剥がして再帰性反射フィルム１２の表面１２ａを露出させた状態で使用することができる。カバーフィルム１４はワッペン１０がその使用に供されるまでの間、再帰性反射フィルム１２の表面１２ａを保護する働きをなす。
【００１８】
カバーフィルム１４については、これが再帰性反射フィルム１２の表面１２ａ上に引き剥がし可能の付着状態で重ね合わされたものとすることに代えて、カバーフィルム１４が例えば前記ポリエステル樹脂製の透明なものからなりかつ該カバーフィルムが再帰性反射フィルム１２の表面１２ａ上に接着された状態で重ね合わされたものとすることができる（他の実施の形態）。これによれば、ワッペン１０はカバーフィルム１４を除去しない態様での使用が可能であり、光は透明なカバーフィルム１４を通して再帰性反射フィルム１２の表面１２ａに入射し、再帰性反射フィルム１２は透明なカバーフィルム１４を通して光反射特性を発揮する。また、カバーフィルム１４は常に再帰性反射フィルム１２の表面１２ａを保護する働きをなす。
【００１９】
また、ホットメルトフィルム１６は、再帰性反射フィルム１２の裏面１２ｂに接着された状態で重ね合わされている。ホットメルトフィルム１６は例えばウレタン系合成樹脂からなり、加熱及び加圧下（熱圧下）において熱溶融し、前記取付対象に対するワッペン１０の接着剤としての働きをなす。
【００２０】
ワッペン１０は、好ましくは、さらにホットメルトフィルム１６に重ね合わされた剥離紙１８（図３）を有する。剥離紙１８は、ホットメルトフィルム１６に剥離可能の状態で付着されており、ワッペン１０が使用に供されるまでの間、ホットメルトフィルム１６を保護する働きをなす。
【００２１】
ワッペン１０は、ホットメルトフィルム１６に代えて、両面テープ（図示せず）を有するものとすることができる。前記両面テープは、不織布等を基材とするもののほか、フィルム（例えばOPP（延伸ポリプロピレン）フィルム）を基材とするいわゆるフィルム両面テープと称されるものを含む。前記両面テープは再帰性反射フィルム１２の裏面１２ｂに接着された状態で重ね合わされる。前記両面テープを有するワッペン１０においても、前記両面テープに剥離可能の付着状態で重ね合わされた剥離紙１８を有するものとすることができる。
【００２２】
互いに重ね合わされたカバーフィルム１４、再帰性反射フィルム１２及びホットメルトフィルム１６（又はホットメルトフィルム１６に代えた前記両面テープ）並びに剥離紙１８は、物Ｍの輪郭（外形）１９を模る平面形状を有する。ここにおいて、「物」とは、現実の世界に存するもの（例えば動植物、車両、建造物等）、想像上のもの（例えば、龍、麒麟等）等からなる。図１に示す物Ｍは蝶からなり、また、図２に示す物Ｍは新幹線の先頭車両からなる。
【００２３】
図１及び図２に示すように、ワッペン１０の互いに重ね合わされたカバーフィルム１４、再帰性反射フィルム１２及びホットメルトフィルム１６（又はホットメルトフィルム１６に代えた前記両面テープ）は、物Ｍの輪郭１９のほか、さらに、物Ｍの一部を模る１又は複数の貫通孔２０を有するものとすることができる。
【００２４】
図１に示す例においては、前記蝶の羽の紋様が複数の貫通孔２０により模られている。また、図２に示す例においては、前記新幹線の先頭車両の窓、ヘッドライト等が複数の貫通孔２０により模られている。
【００２５】
また、図２に示すように、ワッペン１０の互いに重ね合わされたカバーフィルム１４及び再帰性反射フィルム１２が、さらに、物Ｍの一部を模る１又は複数の線状の切れ込み２２を有するものとすることができる。線状の切れ込み２２は、図３に示すように、カバーフィルム１４の厚さの全部を経て再帰性反射フィルム１２の厚さの一部に至り、カバーフィルム１４の表面及び再帰性反射フィルム１２の表面１２ａに開放している。
【００２６】
図２に示す例においては、前記新幹線の先頭車両の窓枠、先端部分、スカート部分等が複数の切れ込み２２により模られている。物Ｍの輪郭１９、貫通孔２０及び線状の切れ込み２２は、例えばレーザー加工により形成することができる。
【００２７】
ワッペン１０は、その取付対象である例えば衣服の表面上の任意の箇所に、カバーフィルム１４を上に、またホットメルトフィルム１６を下にして置き、カバーフィルム１４上に例えばアイロンを使って熱圧を加えることにより取り付けることができる。ワッペン１０は前記熱圧を受けたホットメルトフィルム１６の熱溶融により生じる粘着力により前記衣服の表面上に接着される。また、前記両面テープを有するワッペンにあっては、前記取付対象の表面上の任意の箇所に、カバーフィルム１４を上に、また前記両面テープを下にして置き、カバーフィルム１４上に押圧力を加えることにより取り付けることができる。前記ワッペンは前記両面テープが有する粘着力により前記取付対象の表面上に接着される。接着後、再帰性反射フィルム１２からカバーフィルム１４を引き剥がして除去することにより、再帰性反射フィルム１２の表面１２ａを露出させることができる。また、透明なカバーフィルム１４を有するワッペン１０については、カバーフィルム１４を引き剥がすことなく存置した状態で使用に供される。
【００２８】
本考案によれば、露出された再帰性反射フィルム１２、又は、透明なカバーフィルム１４及び再帰性反射フィルム１２の双方が物Ｍの輪郭１９を模る平面形状を有するものであることから、その表面１２ａの全てにおいて光反射特性を発揮する。このことから、ワッペン１０が光に照らされるとき、物Ｍの輪郭１９を模る平面形状が明瞭に視認され、またワッペン１０の装飾効果、情報伝達効果等が発揮される。また、物Ｍの一部を模る貫通孔２０及び線状の切れ込み２２は、再帰性反射フィルム１２が表す物Ｍを模る平面形状をより浮き立たせ、明瞭にする働きをなす。
【符号の説明】
【００２９】
１０  ワッペン
１２  再帰性反射フィルム
１２ａ，１２ｂ  再帰性反射フィルムの表面及び裏面
１４  カバーフィルム
１６  ホットメルトフィルム
１８  剥離紙
１９  輪郭
２０  貫通孔
２２  線状の切れ込み
【図１】
0003231640.tif 000003
【図２】
0003231640.tif 000004
【図３】
0003231640.tif 000005